(57)【要約】【課題】部品点数を増やすことなく操作環の操作感を良好に保ったレンズ鏡筒および光学機器を提供すること。【解決手段】固定筒と保持環により光軸方向に挟み込まれて回転可能に保持された操作環を有するレンズ鏡筒において、保持環が固定筒に組み込まれると保持環と固定筒のうちいずれか一方の一部が弾性変形して保持環の当接面が固定筒の当接面に対して光軸方向に付勢され、保持環の操作環との摺動面と固定筒の操作環との摺動面は弾性変形による面の変形が小さい位置に構成され、保持環が固定筒に組み込まれた状態で保持環の壁部と固定筒の壁部は光軸方向に微小な隙間を有することを特徴とする構成とした。【選択図】図１
2018005135.tif 000002
【特許請求の範囲】
【請求項１】
固定筒と保持環により光軸方向に挟み込まれて回転可能に保持された操作環を有するレンズ鏡筒において、
前記保持環は前記固定筒と光軸方向で当接される第一の当接面と、
前記操作環と当接して摺動する第一の摺動面と、
光軸と直行し前記保持環が前記固定筒に組み込まれる方向と反対側に平面部を有する第一の壁部と、を有し、
前記固定筒は前記保持環と光軸方向で当接される第二の当接面と、
前記操作環と当接して摺動する第二の摺動面と、
光軸と直行し前記保持環が前記固定筒に組み込まれる方向と同じ側に平面部を有する第二の壁部と、を有し、
前記保持環が前記固定筒に組み込まれると前記保持環と前記固定筒のうちいずれか一方の一部が弾性変形して第一の当接面が前記第二の当接面に対して光軸方向に付勢され、
第一の摺動面と第二の摺動面は前記弾性変形による面の変形が小さい位置に構成され、
前記保持環が前記固定筒に組み込まれた状態で第一の壁部と第二の壁部は光軸方向に微小な隙間を有することを特徴とするレンズ鏡筒。
【請求項２】
前記保持環は前記固定筒の内径側に配置される第一の鍔部と、
前記第一の鍔部から光軸に直行する方向で外径側に突出し、前記第一の壁部を有する第一の突起部と、
前記第一の突起部と光軸方向に並び前記第一の当接面からの距離が第一の突起部より遠い位置に配置された第二の突起部と、を有し、
前記固定筒は前記第二の壁部を有し光軸方向に隙間を有した状態で前記第一の突起部が挿入される第一の穴部と、
前記第二の突起部が挿入されると前記第一の当接面が前記第二の当接面に対して光軸方向に付勢されるように形成された第二の穴部と、を有することを特徴とする請求項１に記載のレンズ鏡筒。
【請求項３】
前記固定筒は光軸に直行する方向で内径側に突出し、前記第一の壁部を有する第三の突起部と、
前記第三の突起部と光軸方向に並び前記第二の当接面からの距離が第三の突起部より近い位置に配置された第四の突起部と、を有し、
前記保持環は前記固定筒の内径側に配置される第二の鍔部と、
前記第二の壁部を有し前記第二の鍔部から光軸方向に隙間を有した状態で前記第三の突起部が挿入される第三の穴部と、
前記第四の突起部が挿入されると前記第一の当接面が前記第二の当接面に対して光軸方向に付勢されるように形成された第四の穴部と、を有することを特徴とする請求項１に記載のレンズ鏡筒。
【請求項４】
前記保持環は前記固定筒の内径側に配置される第三の鍔部と、
前記第三の鍔部から光軸に直行する方向で外径側に突出し、前記第一の壁部を有する第五の突起部と、
前記第五の突起部と周方向で異なる位置に配置された第六の突起部と、を有し、
前記固定筒は前記第二の壁部を有し光軸方向に隙間を有した状態で前記第五の突起部が挿入される第五の穴部と、
前記第六の突起部が挿入されると前記第一の当接面が前記第二の当接面に対して光軸方向に付勢されるように形成された第六の穴部と、を有することを特徴とする請求項１に記載のレンズ鏡筒。 
【請求項５】
前記固定筒は光軸に直行する方向で内径側に突出し、前記第一の壁部を有する第七の突起部と、
前記第七の突起部と周方向で異なる位置に配置された第八の突起部と、を有し、
前記保持環は前記固定筒の内径側に配置される第四の鍔部と、
前記第二の壁部を有し前記第四の鍔部から光軸方向に隙間を有した状態で前記第七の突起部が挿入される第七の穴部と、
前記第八の突起部が挿入されると前記第一の当接面が前記第二の当接面に対して光軸方向に付勢されるように形成された第八の穴部と、を有することを特徴とする請求項１に記載のレンズ鏡筒。 
【請求項６】
第一乃至第二の当接面と、
第一乃至第二の壁部と、
前記第一乃至第八の突起部と、
前記第一乃至第八の穴部は周方向に複数配置されることを特徴とする請求項１乃至請求項５の何れか一項に記載のレンズ鏡筒。
【請求項７】
請求項１乃至請求項６の何れか一項に記載のレンズ鏡筒と、
前記レンズ鏡筒が装着可能なカメラ本体と、
を有することを特徴とする光学機器。
【発明の詳細な説明】
【技術分野】
【０００１】
本発明は、レンズ鏡筒および光学機器に関する。
【背景技術】
【０００２】
従来、カメラに装着される交換レンズにおいてマニュアル操作やズーム操作を行なうためのマニュアル操作環やズーム操作環を２つの固定部材で挟み込み、回転可能に保持する構成が取られている。
【０００３】
特許文献１には、操作環を第一の保持環と第二の保持環で挟んで回転可能に保持する構成において、第一の保持環と第二の保持環をバヨネット結合し、第一の保持環と第二の保持環との間に相対的な回転変位を防止する抜け止め部材を入れる構成のレンズ鏡筒が開示されている。
【０００４】
また従来、図１１に示すレンズ鏡筒のように、第一の保持環と第二の保持環のいずれか一方に光軸に直行する方向に突出した突起部を設け、他方に穴部を設け、突起部を穴部に挿入することで第一の保持環と第二の保持環を互いに固定する構成が知られている。このレンズ鏡筒においては第一の保持環と第二の保持環の光軸方向のガタを防止するため第一の保持環と第二の保持環が光軸方向に互いに引き付け合う構成となっている。
【先行技術文献】
【特許文献】
【０００５】
【特許文献１】特開２０１１―２３７５９５号公報
【発明の概要】
【発明が解決しようとする課題】
【０００６】
しかしながら、上述の特許文献１に開示された従来技術では、第一の保持環と第二の保持環との間に相対的な回転変位を防止するための抜け止め部材が必要となり、部品点数が増えコストアップとなってしまう。
【０００７】
また、図１１に示すレンズ鏡筒では第一の保持環と第二の保持環が光軸方向に互いに引き付け合う構成となっているため第一の保持環、第二の保持環それぞれの操作環との摺動面が変形しやすくなっている。摺動面が変形し、摺動面の平面度が低下すると操作環の操作感に影響してしまう。
【０００８】
そこで、本発明は、部品点数を増やすことなく操作環の操作感を良好に保ったレンズ鏡筒および光学機器を提供することを目的とする。
【課題を解決するための手段】
【０００９】
上記の目的を達成するために、本発明に係るレンズ鏡筒は、
固定筒と保持環により光軸方向に挟み込まれて回転可能に保持された操作環を有するレンズ鏡筒において、前記保持環は前記固定筒と光軸方向で当接される第一の当接面と、前記操作環と当接して摺動する第一の摺動面と、光軸と直行し前記保持環が前記固定筒に組み込まれる方向と反対側に平面部を有する第一の壁部と、を有し、前記固定筒は前記保持環と光軸方向で当接される第二の当接面と、前記操作環と当接して摺動する第二の摺動面と、光軸と直行し前記保持環が前記固定筒に組み込まれる方向と同じ側に平面部を有する第二の壁部と、を有し、前記保持環が前記固定筒に組み込まれると前記保持環と前記固定筒のうちいずれか一方の一部が弾性変形して第一の当接面が前記第二の当接面に対して光軸方向に付勢され、第一の摺動面と第二の摺動面は前記弾性変形による面の変形が小さい位置に構成され、前記保持環が前記固定筒に組み込まれた状態で第一の壁部と第二の壁部は光軸方向に微小な隙間を有することを特徴とする。 
【発明の効果】
【００１０】
本発明によれば、部品点数を増やすことなく操作環の操作感を良好に保ったレンズ鏡筒および光学機器を提供することができる。
【図面の簡単な説明】
【００１１】
【図１】本実施形態のレンズ鏡筒の部分断面図である。
【図２】実施例１の固定筒とフォーカス操作環と保持環の分解斜視図である。
【図３】実施例１の固定筒とフォーカス操作環と保持環の部分断面図である。
【図４】実施例１の保持環の部分斜視図である。
【図５】実施例１の固定筒の部分斜視図である。
【図６】実施例２の固定筒とフォーカス操作環と保持環の部分断面図である。
【図７】実施例３の固定筒とフォーカス操作環と保持環の分解斜視図である。
【図８】実施例３の物体側から見た正面図である。
【図９】実施例３の固定筒とフォーカス操作環と保持環の部分断面図である。
【図１０】実施例３の固定筒とフォーカス操作環と保持環の部分断面図である。
【図１１】従来例のレンズ鏡筒の部分断面図である。
【発明を実施するための形態】
【００１２】
以下に、本発明の好ましい実施の形態を、添付の図面に基づいて詳細に説明する。図１は本実施形態に係る一眼レフカメラ用のレンズ鏡筒（交換レンズ）１００の部分断面図である
［実施例１］
以下、図１を参照して本発明の第1の実施例について説明する。
【００１３】
レンズ鏡筒１００は、破線で示すカメラ本体２００に装着可能であり、被写体の光学像を形成する撮影光学系を収納する。レンズ鏡筒１００はカメラ本体２００に装着されてカメラシステム（光学機器）を構成する。図１の左側が被写体（物体）側であり、右側が像側であり、一点鎖線は撮影光学系の光軸である。図１はレンズ交換型の撮像装置（光学機器）を示しているが、本発明はレンズ鏡筒がカメラ本体に一体に設けられた光学機器にも適用可能である。
【００１４】
図１において、１〜６は撮影光学系を構成するレンズを保持するレンズ群ユニットを示している。
【００１５】
１は１群ユニットであり、ガラスを保持する１群鏡筒と、１群鏡筒がビス止めされたフィルター枠８で構成される。フィルター枠８の先端外周にはバヨネット部が、内周には不図示のネジ部が設けられ、それぞれフード、フィルター等のアクセサリーが装着可能となっている。１群ユニット１には前面にレンズ名称等の表示が印刷されたネームプレート９が接着固定されている。
【００１６】
２は２群ユニットであり、２群ユニット２はレンズを保持する２群鏡筒１７を光軸に垂直な平面内で駆動させることで防振効果を出す防振ユニットであり、レンズを保持する保持部材として機能する。２群鏡筒１７は不図示のボールを挟んで地板１８側に不図示のバネにより付勢されている。２群鏡筒１７には不図示のコイルが２つ固定されており、地板１８にはコイルに対向する位置に不図示のマグネット２つが固定されている。コイルに適宜通電することでコイルに流れる電流と、磁石の磁場により推力が働き２群鏡筒１７を光軸に垂直な平面内で駆動させることができる。
【００１７】
３はレンズを保持する３群鏡筒ユニット３ａと光量調節部材３ｂとが一体的に結合された３群ユニットである。
【００１８】
４、５、６はそれぞれレンズを保持する４群ユニット、５群ユニット、６群ユニットであり、４群ユニット４と６群ユニット６は不図示のビスで固定され一体的に結合されて４−６群ユニット７として一体的に動く。また５群ユニット５は、４群ユニットと６群ユニットの間に位置し、ピント調整時に光軸方向に進退するフォーカスユニットである。
【００１９】
フォーカスユニットを駆動するフォーカスアクチュエータ２０は６群ユニット６にビス止めさている。フォーカスアクチュエータはステッピングモータとステッピングモータから撮像面方向に伸びるリードスクリューで構成される。５群ユニット５にはリードスクリューに螺合するラック２１が取り付けられており、ステッピングモータに通電してリードスクリューを回転させると、リードスクリューに螺合したラックを介して５群ユニット５が光軸方向に進退し、ピント調整が可能となる。
【００２０】
１９は光軸回りの回転が可能なフォーカス操作環であり、固定筒１１の外周に回転可能に嵌合している。フォーカス操作環１９の内周には櫛歯形状１９ａが形成されている。２０は保持環であり、保持環２０に設けられた光軸から直行する方向に突出した突起を固定筒１１の穴部に挿入することで固定筒１１に固定される。フォーカス操作環１９は固定筒１１と保持環２０により光軸方向にガタを持った状態で挟まれることで光軸方向の動きが規制され回転操作のみ可能となっている。
【００２１】
固定筒１１には不図示のフォトインタラプタ２つが実装されたフレキシブル基板が固定されている。２つのフォトインタラプタは光軸に直行する方向で外側に向いて固定されており、フォトインタラプタの受光部と発光部の間にフォーカス操作環１９の内周に形成された櫛歯形状１９ａが入り込む。また２つのフォトインタラプタは固定筒１１の周方向に並んで固定されている。
【００２２】
１５は固定筒５に固定されている基板ユニットで、フォーカスユニット、光量調節部材３ｂ、防振ユニットである２群ユニット２と電気的に接続されて各種制御を行うとともに、不図示の通信接点を介してカメラ本体２００との通信および電源供給を行う。
【００２３】
次にマニュアルフォーカス時の操作とレンズ鏡筒内の制御および動作について説明する。
【００２４】
フォーカス操作環１９を回すと２つのフォトインタラプタがフォーカス操作環１９の回転方向と回転量を検出する。検出されたフォーカス操作環１９の回転方向と回転量の信号は基板ユニット１５のレンズ制御回路に送られる。レンズ制御回路はレンズ制御回路内に記録されたフォーカスユニット５の位置情報とフォーカス操作環１９の回転方向と回転量とに基づいてフォーカスアクチュエータ２０を駆動し、フォーカスユニット５を光軸方向に駆動する。
【００２５】
１０はマウントで、カメラ本体２００に取り付けるためのバヨネット部を有しており、固定筒１１にビス止め（不図示）されている。また、マウント１０の内径にせり出したフランジ部は有害光をカットする役割を持つ。
【００２６】
１２は後述のズームキー（不図示）と一体的に光軸回りの回転が可能なズーム操作環であり、固定筒１１の外周に回転可能に嵌合し、ズームキーを介してカム筒１３を回転させることができる。
【００２７】
１４は案内筒で、固定筒１１にビス止めされることでカメラ本体２００に対して固定部を構成している。案内筒１４の外周には、案内筒１４に設けられた周上の突起部にバヨネット結合する周溝部を有するカム筒１３が径嵌合し、カム筒１３は光軸回りの回転のみ可能となっている。カム筒１３にはズームキーが一体的に固定されている。カム筒１３を回転させると、案内筒１４に設けられた光軸方向に形成された案内溝とカム筒１３に設けられたカム溝に挿入されたカムフォロワー（不図示）が光軸方向に移動する。これにより、カムフォロワーがビス止めされて一体となった１群ユニット１、３群ユニット３および４−６群ユニット７をそれぞれ光軸方向に移動する。
【００２８】
以上の構成によりズーム操作環１４を回転させると、ズームキーを介してカム筒１３が回転し、２群ユニット２以外の全てのレンズ群ユニットが光軸方向に進退してズーミングが行われる。
【００２９】
光量調整は、光量調節部材３ｂを駆動させることで行う。光量調節部材３ｂは、複数の絞り羽根を有する絞りユニットである。不図示の絞りアクチュエータを作動させ、絞り羽根を駆動する。これにより、光通過口となる開口面積（絞り口径）を変化させ光量を調整する。
【００３０】
次に固定筒１１と保持環２０の固定方法について詳細に説明する。
【００３１】
図２は固定筒１１とフォーカス操作環１９と保持環２０の分解斜視図であり、固定筒１１にフォーカス操作環１９、保持環２０を光軸方向物体側から組み込む前の状態である。図３は固定筒１１にフォーカス操作環１９、保持環２０を組み込んだ後の部分断面図である。図４は保持環２０の部分斜視図である。図５は固定筒１１の部分斜視図である。
【００３２】
図３、図４、図５を参照して固定筒１１と保持環２０の固定方法について説明する。
【００３３】
保持環２０の端面２０ｆと固定筒１１の端面１１ｆは当接し、固定筒１１と保持環２０の光軸方向の相対的な位置が決まっている。
【００３４】
固定筒１１の外径部１１ｈは操作環１９の内径部１９ｄと径嵌合し、保持環２０の壁面２０ｇは操作環１９の物体側端面１９ｃと当接し、固定筒１１の物体側端面１１ｇは操作環１９の被写体側端面１９ｂと当接している。２０ｇと１１ｇの間の寸法は１９ｃと１９ｂの間の寸法より大きいため、フォーカス操作環１９は固定筒１１と保持環２０により光軸方向にガタをもった状態で挟まれ光軸方向の動きが規制されて回転操作のみ可能となっている。操作環１９が回転操作されると保持環２０の壁面２０ｇと操作環１９の物体側端面１９ｃの間、固定筒１１の物体側端面１１ｇと操作環２０の被写体側端面１９ｂの間、固定筒１１の外径部１１ｈと操作環１９の内径部１９ｄの間で摺動する。
【００３５】
保持環２０の第一の鍔部２０ｈは固定筒１１の内径側に配置される。第一の鍔部２０ｈから光軸直行方向で外径側に突出した第一の突起部２０ａと第二の突起部２０ｂが形成される。固定筒１１には第一の突起部２０ａと第二の突起部２０ｂがそれぞれ挿入される第一の穴部１１ａと第二の穴部１１ｂが形成される。
【００３６】
保持環２０の第一の突起部２０ａの物体側の壁面２０ｃと、固定筒１１の第一の穴部１１ａの物体側の壁面１１ｃは光軸方向に微小な隙間を有している。保持環２０の第二の突起部２０ｂの物体側の壁面２０ｄと固定筒１１の第二の穴部１１ｂの物体側の壁面１１ｄは光軸方向に微小な隙間を有している。
【００３７】
第二の突起部２０ｂの物体側壁面２０ｄの内径側の根元には斜面２０ｅが形成されており、固定筒１１の第二の穴部１１ｂの物体側の壁面１１ｄの内径側には斜面２０ｅに対応するように斜面１１ｅが形成されている。
【００３８】
保持環２０の端面２０ｆと斜面２０ｅの間の光軸方向寸法は固定筒１１の端面１１ｆと斜面１１ｅの間の光軸方向寸法より若干小さくなるように設定されている。これにより保持環２０の第二の突起部２０ｂが固定筒１１の第二の穴部１１ｂに挿入されると保持環２０は光軸方向撮像面側に付勢される。このとき固定筒１１の第一の穴部１１ａと第二の穴部１１ｂで挟まれた橋部１１ｉは、保持環２０の斜面２０ｅが固定筒１１の斜面１１ｅを付勢することにより光軸方向物体側に変形するように形成されている。
【００３９】
次に本実施例の構成による効果について説明する。
【００４０】
保持環２０が固定筒１１に組み込まれると斜面２０ｅが斜面１１ｅを付勢するため橋部１１ｉが光軸方向物体側に変形する。このため保持環２０と固定筒１１は光軸方向にガタがない状態で固定される。さらに橋部１１ｉの幅を狭くし、変形しやすくすることで橋部１１ｉ以外の部分の変形を抑えられる。つまり変形しやすい橋部１１ｉから離した位置に固定筒１１の端面１１ｇ、外径部１１ｈおよび保持環２０の端面２０ｇを構成することで固定筒１１の端面１１ｇ、外径部１１ｈおよび保持環２０の端面２０ｇの変形を小さくでき、固定筒１１の端面１１ｇおよび保持環２０の端面２０ｇの平面度と固定筒１１の外径部１１ｈの真円度の低下が抑えられる。
【００４１】
これによりフォーカス操作環１９の操作感は良好となる。さらに操作環２０の第一の突起部２０ａの物体側の壁面２０ｃと、固定筒１１の第一の穴部１１ａの物体側の壁面１１ｃは光軸方向に微小な隙間を有して対向しているため、仮にフォーカス操作環１９をユーザーが無理に光軸方向物体側に引っ張った場合でも壁面２０ｃが壁面１１ｃと当接する。これにより保持環２０の突起部２０ａおよび２０ｂが固定筒１１の穴部１１ａ、１１ｂから抜けて保持環２０が固定筒１１から外れることを防止できる。
【００４２】
また、本実施例では部品点数を増やすことなくフォーカス操作環１９、固定筒１１、保持環２０の３部品のみの構成によりフォーカス操作環の良好な操作感と、保持環２０の固定筒１１からの外れ防止が可能となる。
【００４３】
［実施例２］
図６は固定筒２１１にフォーカス操作環１９、保持環２２０を組み込んだ後の部分断面図である。
【００４４】
以下、本件実施例１のレンズ鏡筒と異なる構成である固定筒２１１と保持環２２０の固定方法について図６を参照して本発明の第２の実施例について説明する。固定筒２１１の内径部から光軸直行方向で内径側に突出した第三の突起部２１１ａと第四の突起部２１１ｂが形成される。
【００４５】
保持環２２０の第二の鍔部２２０ｈは固定筒２１１の内径側に配置される。第二の鍔部２２０ｈには第三の突起部２１１ａと第四の突起部２１１ｂがそれぞれ挿入される第三の穴部２２０ａと第四の穴部２２０ｂが形成される。
【００４６】
固定筒２１１の第三の突起部２１１ａの撮像面側の壁面２１１ｃと、保持環２２０の第三の穴部２２０ａの撮像面側の壁面２２０ｃは光軸方向に微小な隙間を有している。固定筒２１１の第四の突起部２１１ｂの撮像面側の壁面２１１ｄと保持環２２０の第四の穴部２２０ｂの撮像面側の壁面２２０ｄは光軸方向に微小な隙間を有している。
【００４７】
固定筒２１１の第四の突起部２１１ｂの撮像面側壁面２１１ｄの外径側の根元には斜面２１１ｅが形成されており、保持環２２０の第四の穴部２２０ｂの撮像面側の壁面２２０ｄの外径側には斜面２１１ｅに対応するように斜面２２０ｅが形成されている。
【００４８】
保持環２２０の端面２２０ｆと斜面２２０ｅの間の光軸方向寸法は固定筒２１１の端面２１１ｆと斜面２１１ｅの間の光軸方向寸法より若干小さくなるように設定されている。これにより固定筒２１１の第四の突起部２１１ｂが保持環２２０の第四の穴部２２０ｂに挿入されると保持環２２０は光軸方向撮像面側に付勢される。このとき保持環２２０の第三の穴部２２０ａと第四の穴部２２０ｂで挟まれた橋部２２０ｉは、固定筒２１１の斜面２１１ｅが保持環２２０の斜面２２０ｅを付勢することにより光軸方向物体側に変形するように形成されている。
【００４９】
次に本実施例の構成による効果について説明する。
【００５０】
保持環２２０が固定筒２１１に組み込まれると斜面２１１ｅが斜面２２０ｅを付勢するため橋部２２０ｉが光軸方向撮像面側に変形する。このため保持環２０と固定筒１１は光軸方向にガタがない状態で固定されるとともに斜面２１１ｅが斜面２２０ｅを付勢することによる摺動面である固定筒２１１の端面２１１ｇおよび保持環２０の端面２２０ｇの平面度と固定筒２１１の外径部２１１ｈの真円度の低下が抑えられる。これによりフォーカス操作環１９の操作感は良好となる。
【００５１】
さらに固定筒２１１の第三の突起部２１１ａの撮像面側の壁面２１１ｃと、保持環２２０の第三の穴部２２０ａの撮像面側の壁面２２０ｃは光軸方向に微小な隙間を有して対向しているため、仮にフォーカス操作環１９をユーザーが無理に光軸方向物体側に引っ張った場合でも壁面２１１ｃが壁面２２０ｃと当接する。これにより固定筒２１１の突起部２１１ａおよび２１１ｂが保持環２２０の穴部２２０ａ、２２０ｂから抜けて保持環２２０が固定筒２１１から外れることを防止できる。
【００５２】
［実施例３］
図７は固定筒３１１とフォーカス操作環１９と保持環３２０の分解斜視図であり、固定筒３１１にフォーカス操作環１９、保持環３２０を光軸方向物体側から組み込む前の状態である。図８は固定筒３１１にフォーカス操作環１９、保持環３２０を組み込んだ後ものを物体側から見た正面図である。図９は図８の固定筒３１１、フォーカス操作環１９、保持環３２０をＡ−Ａ断面で見た部分断面図である。  図１０は図８の固定筒３１１、フォーカス操作環１９、保持環３２０をＢ−Ｂ断面で見た部分断面図である。  
【００５３】
以下、本件実施例１のレンズ鏡筒と異なる構成である固定筒３１１と保持環３２０の固定方法について図７、図８、図９を参照して本発明の第３の実施例について説明する。
【００５４】
保持環３２０の第三の鍔部３２０ｈは固定筒３１１の内径側に配置される。第三の鍔部３２０ｈから光軸直行方向で外径側に突出した第五の突起部３２０ａが形成される。固定筒３１１には第五の突起部３２０ａが挿入される第五の穴部３１１ａが形成される。
【００５５】
また前記第三の鍔部３２０ｈ、第五の突起部３２０ａ、第五の穴部３１１ａとは周方向で異なる位置に保持環３２０の第四の鍔部３２０ｉが固定筒３１１の内径側に配置される。
【００５６】
鍔部３２０ｉから光軸直行方向で外径側に突出し第六の突起部２０ｂが形成される。固定筒３１１には第六の突起部２０ｂが挿入される第六の穴部１１ｂが形成される。保持環３２０の第五の突起部３２０ａの物体側の壁面３２０ｃと、固定筒３１１の第五の穴部３１１ａの物体側の壁面３１１ｃは光軸方向に微小な隙間を有している。操作環３２０の第六の突起部３２０ｂの物体側の壁面３２０ｄと固定筒３１１の第六の穴部３１１ｂの物体側の壁面１１ｄは光軸方向に微小な隙間を有している。
【００５７】
第六の突起部３２０ｂの物体側壁面３２０ｄの内径側の根元には斜面３２０ｅが形成されており、固定筒３１１の第六の穴部３１１ｂの物体側の壁面３１１ｄの内径側には斜面３２０ｅに対応するように斜面３１１ｅが形成されている。保持環３２０の端面３２０ｆと斜面３２０ｅの間の光軸方向寸法は固定筒３１１の端面３１１ｆと斜面３１１ｅの間の光軸方向寸法より若干小さくなるように設定されている。
【００５８】
これにより保持環３２０の第六の突起部３２０ｂが固定筒３１１の第六の穴部３１１ｂに挿入されると保持環３２０は光軸方向撮像面側に付勢される。このとき固定筒３１１の第五の穴部３１１ａの物体側の橋部３１１ｉは、保持環３２０の斜面３２０ｅが固定筒３１１の斜面３１１ｅを付勢することにより光軸方向物体側に変形するように形成されている。
【００５９】
以上の構成により摺動面である固定筒３１１の端面３１１ｇおよび保持環３２０の端面３２０ｇの平面度と固定筒３１１の外径部３１１ｈの真円度の低下が抑えられる。これによりフォーカス操作環１９の操作感は良好となる。さらに保持環３２０の突起部３２０ａおよび３２０ｂが固定筒３１１の穴部３１１ａ、３１１ｂから抜けて保持環２０が固定筒１１から外れることを防止できる。
【００６０】
上記実施例３では、保持環３２０の第三の鍔部３２０ｈ、第四の鍔部３２０ｉに第五の突起部３２０ａ、第六の突起部２０ｂを形成し、固定筒３１１に第五の穴部３１１ａ、第六の穴部１１ｂを形成したが、逆に保持環３２０の第三の鍔部３２０ｈ、第四の鍔部３２０ｉに穴部をそれぞれ１つずつ形成し、固定筒３１１の対応する位置に突起部をそれぞれ形成しても良い。
【００６１】
また、実施例１、２、３では鍔部と突起部、穴部がそれぞれ最低限必要な個数で説明したが周方向に多数配置しても良い。また、実施例１、２、３では保持環と固定筒のうち一方に突起部、他方に穴部を形成したが保持環と固定筒のそれぞれに突起部と穴部の両方を形成しても良い。
【００６２】
本実施形態では、一眼レフフィルムカメラに用いられる交換レンズについて説明したが、本発明は、レンズシャッタカメラ、デジタルカメラ、ビデオカメラ等の各種撮影装置（光学機器）のレンズ鏡筒部分に用いることができる。
【００６３】
以上、本実施形態について説明したが、本発明は本実施形態に限定されず、その要旨の範囲内で種々の変形及び変更が可能である。
【００６４】
本発明は、一眼レフカメラ、ビデオカメラ等の光学機器やレンズ鏡筒の用途に適用することができる。
【符号の説明】
【００６５】
１１  固定筒（固定筒）、１９  フォーカス操作環（操作環）、
２０  保持環（保持環）、１１ｆ  端面（第二の当接面）、
１１ｈ  外径部（第二の摺動面）、１１ｃ  壁面（第二の壁部）、
２０ｇ  壁面（第一の摺動面）、２０ｆ  端面（第一の当接面）、
２０ｃ  壁面（第一の壁部）
【図１】
2018005135.tif 000003
【図２】
2018005135.tif 000004
【図３】
2018005135.tif 000005
【図４】
2018005135.tif 000006
【図５】
2018005135.tif 000007
【図６】
2018005135.tif 000008
【図７】
2018005135.tif 000009
【図８】
2018005135.tif 000010
【図９】
2018005135.tif 000011
【図１０】
2018005135.tif 000012
【図１１】
2018005135.tif 000013